(57)【要約】      （修正有）【課題】対面販売（配布）される商品カードを利用しつつ、複数の商品を一回分の配送コストで届けることができる、通信ネットワークを利用した商品販売技術を提供する。【解決手段】商品販売システムにおいて、管理サーバ２０は、商品カード３１に記載されている固有の商品ＩＤ４１と配送カードに記載されている固有の配送ＩＤ４２とが登録されているデータベース２１と、販売者端末３０及び購入者端末５０から商品ＩＤ４１、配送ＩＤ４２、商品属性データ４３及び宛先データ４６を受信する送受信部２２と、商品属性データ４３をデータベース２１に紐付けるデータリンク部２６と、商品ＩＤ４１及び配送ＩＤ４２の照合部２７と、商品属性データ４３及び宛先データ４６が含まれる配送情報４７の生成部２８と、を備えている。【選択図】図４
2019128808.tif 000002
【特許請求の範囲】
【請求項１】
商品カードに記載されている固有の商品ＩＤと配送カードに記載されている固有の配送ＩＤとが登録されているデータベースと、
通信ネットワークを介して受信した第１要求信号の発信元である販売者端末に登録フォームを送信し、この登録フォームで互いに紐付入力された前記商品ＩＤ及び商品属性データを受信する第１送受信部と、
前記販売者端末から受信した前記商品属性データを前記データベース上の対応する前記商品ＩＤに紐付けるデータリンク部と、
通信ネットワークを介して受信した第２要求信号の発信元である購入者端末に申請フォームを送信し、この申請フォームで互いに紐付け入力された前記配送ＩＤ、宛先データ及び一つ以上の前記商品ＩＤを受信する第２送受信部と、
前記購入者端末から受信した前記商品ＩＤ及び前記配送ＩＤの各々を少なくとも対象として前記データベースに照合する照合部と、
前記照合結果が一致する場合、前記購入者端末から受信した前記配送ＩＤ及び一つ以上の前記商品ＩＤの各々に紐付けられている前記宛先データ及び一つ以上の前記商品属性データが組み合わされた配送情報を生成する配送情報生成部と、
前記配送情報を、前記販売者端末及び配送者端末の少なくとも一方に前記通信ネットワークを介して送信する第３送受信部と、を備えることを特徴とする商品販売システム。
【請求項２】
請求項１に記載の商品販売システムにおいて、
前記登録フォーム又は前記申請フォームに、前記データベース上で未登録もしくは失効設定された前記商品ＩＤ又は前記配送ＩＤが入力された場合は、エラーメッセージが表示されることを特徴とする商品販売システム。
【請求項３】
請求項２に記載の商品販売システムにおいて、
前記申請フォームから送信された前記商品ＩＤ及び前記配送ＩＤは、前記データベース上で前記失効設定がなされることを特徴とする商品販売システム。
【請求項４】
請求項２又は請求項３に記載の商品販売システムにおいて、
前記販売者端末において、前記データベースにおける前記商品ＩＤ及び前記配送ＩＤの有効／失効の設定が切替可能であることを特徴とする商品販売システム。
【請求項５】
請求項１から請求項４のいずれか１項に記載の商品販売システムにおいて、
前記商品カードは、複数が纏められてグループ化されており、前記登録フォームにおいて、グループ単位で前記商品ＩＤと前記商品属性データとの紐付けができることを特徴とする商品販売システム。
【請求項６】
請求項１から請求項５のいずれか１項に記載の商品販売システムにおいて、
前記申請フォームにおいて、一つの前記配送ＩＤに紐付けできる前記商品ＩＤの数の上限が設定されていることを特徴とする商品販売システム。
【請求項７】
請求項１から請求項６のいずれか１項に記載の商品販売システムにおいて、
前記販売者端末が前記データベースに予め登録した固有の販売者ＩＤに、前記商品ＩＤ及び配送ＩＤが紐付けられていることを特徴とする商品販売システム。
【請求項８】
請求項１から請求項７のいずれか１項に記載の商品販売システムにおいて、
前記商品カードに記載された前記商品ＩＤと前記配送カードに記載された前記配送ＩＤとのうち少なくとも一方には、硬いもので擦ると文字が浮き出すスクラッチ処理が施されていることを特徴とする商品販売システム。
【請求項９】
商品カードに記載されている固有の商品ＩＤと配送カードに記載されている固有の配送ＩＤとを、データベースに登録するステップと、
通信ネットワークを介して受信した第１要求信号の発信元である販売者端末に登録フォームを送信し、この登録フォームで互いに紐付入力された前記商品ＩＤ及び商品属性データを受信するステップと、
前記販売者端末から受信した前記商品属性データを前記データベース上の対応する前記商品ＩＤに紐付けるステップと、
通信ネットワークを介して受信した第２要求信号の発信元である購入者端末に申請フォームを送信し、この申請フォームで互いに紐付け入力された前記配送ＩＤ、宛先データ及び一つ以上の前記商品ＩＤを受信するステップと、
前記購入者端末から受信した前記商品ＩＤ及び前記配送ＩＤの各々を少なくとも対象として前記データベースに照合するステップと、
前記照合結果が一致する場合、前記購入者端末から受信した前記配送ＩＤ及び一つ以上の前記商品ＩＤの各々に紐付けられている前記宛先データ及び一つ以上の前記商品属性データが組み合わされた配送情報を生成するステップと、
前記配送情報を、前記販売者端末及び配送者端末の少なくとも一方に前記通信ネットワークを介して送信するステップと、を含むことを特徴とする商品販売方法。
【請求項１０】
コンピュータに、
商品カードに記載されている固有の商品ＩＤと配送カードに記載されている固有の配送ＩＤとを、データベースに登録するステップ、
通信ネットワークを介して受信した第１要求信号の発信元である販売者端末に登録フォームを送信し、この登録フォームで互いに紐付入力された前記商品ＩＤ及び商品属性データを受信するステップ、
前記販売者端末から受信した前記商品属性データを前記データベース上の対応する前記商品ＩＤに紐付けるステップ、
通信ネットワークを介して受信した第２要求信号の発信元である購入者端末に申請フォームを送信し、この申請フォームで互いに紐付け入力された前記配送ＩＤ、宛先データ及び一つ以上の前記商品ＩＤを受信するステップ、
前記購入者端末から受信した前記商品ＩＤ及び前記配送ＩＤの各々を少なくとも対象として前記データベースに照合するステップ、
前記照合結果が一致する場合、前記購入者端末から受信した前記配送ＩＤ及び一つ以上の前記商品ＩＤの各々に紐付けられている前記宛先データ及び一つ以上の前記商品属性データが組み合わされた配送情報を生成するステップ、
前記配送情報を、前記販売者端末及び配送者端末の少なくとも一方に前記通信ネットワークを介して送信するステップ、を実行させることを特徴とする商品販売プログラム。
【発明の詳細な説明】
【技術分野】
【０００１】
本発明は、通信ネットワークを利用した商品販売技術に関する。
【背景技術】
【０００２】
通信ネットワークを利用する通信販売は、ネットワーク上で不特定の者が商品を閲覧・選択し、ネットワーク上で支払決済する形態が一般的である（例えば、特許文献１）。
しかし、特定された対象者に商品を限定して提供したい場合や、金融口座を簡単に開設できない未成年等に商品を販売したい場合等は、上述の一般的な通信販売では対応が困難となる。
【０００３】
そこで、商品を提供する対象者に、固有な識別子ＩＤを印刷した商品カードを対面購入させ、この識別子ＩＤを付記した宛先を通信ネットワーク上で申請させ、宅配便等を利用して商品を送り届けるサービスが検討されている。
【先行技術文献】
【特許文献】
【０００４】
【特許文献１】特開２０１６−４０６７６号公報
【発明の概要】
【発明が解決しようとする課題】
【０００５】
しかし、上述のカード利用サービスでは、一枚の商品カードに、一つの商品の代金と一回の宅配便の料金とが組み合わされている。このために、複数の商品を同時購入する場合、宅配便は一回利用で済むにもかかわらず、購入数量から１を引いた回数分の余計な配送料金の支払いが避けられない課題があった。
【０００６】
本発明はこのような事情を考慮してなされたもので、対面販売（配布）される商品カードを利用しつつ、複数の商品を一回分の配送コストで届けることができる、通信ネットワークを利用した商品販売技術を提供することを目的とする。
【課題を解決するための手段】
【０００７】
本発明に係る商品販売システムは、商品カードに記載されている固有の商品ＩＤと配送カードに記載されている固有の配送ＩＤとが登録されているデータベースと、通信ネットワークを介して受信した第１要求信号の発信元である販売者端末に登録フォームを送信しこの登録フォームで互いに紐付入力された前記商品ＩＤ及び商品属性データを受信する第１送受信部と、前記販売者端末から受信した前記商品属性データを前記データベース上の対応する前記商品ＩＤに紐付けるデータリンク部と、通信ネットワークを介して受信した第２要求信号の発信元である購入者端末に申請フォームを送信しこの申請フォームで互いに紐付け入力された前記配送ＩＤ、宛先データ及び一つ以上の前記商品ＩＤを受信する第２送受信部と、前記購入者端末から受信した前記商品ＩＤ及び前記配送ＩＤの各々を少なくとも対象として前記データベースに照合する照合部と、前記照合結果が一致する場合前記購入者端末から受信した前記配送ＩＤ及び一つ以上の前記商品ＩＤの各々に紐付けられている前記宛先データ及び一つ以上の前記商品属性データが組み合わされた配送情報を生成する配送情報生成部と、前記配送情報を前記販売者端末及び配送者端末の少なくとも一方に前記通信ネットワークを介して送信する第３送受信部と、を備えることを特徴とする。
【発明の効果】
【０００８】
本発明により、対面販売（配布）される商品カードを利用しつつ、複数の商品を一回分の配送コストで届けることができる、通信ネットワークを利用した商品販売技術が提供される。
【図面の簡単な説明】
【０００９】
【図１】コンサート会場における販売者の店舗及び購入者のイメージ図。
【図２】購入者に対面販売される商品カード及び配送カードのイメージ図。
【図３】本発明に係る商品販売システムの実施形態を示す全体イメージ図。
【図４】本発明に係る商品販売システムの実施形態を示すブロック図。
【図５】（Ａ）販売者端末に表示される商品登録フォームのイメージ図、（Ｂ）その確認フォームのイメージ図。
【図６】（Ａ）販売者端末に表示される配送登録フォームのイメージ図、（Ｂ）その確認フォームのイメージ図。
【図７】（Ａ）購入者端末に表示されるカードＩＤの申請フォームのイメージ図、（Ｂ）宛先データの申請フォームのイメージ図、（Ｃ）その確認フォームのイメージ図。
【図８】データベースに登録されている商品ＩＤ、これに紐付けされている販売者ＩＤ及び商品属性データを示すデータリスト。
【図９】データベースに登録されている配送ＩＤ、これに紐付けされている販売者ＩＤ及び宛先データを示すデータリスト。
【図１０】販売者端末又は配送者端末に表示される配送情報のイメージ図。
【図１１】本発明に係る商品販売方法及び商品販売プログラムの実施形態を示すシーケンス図。
【発明を実施するための形態】
【００１０】
以下、本発明の実施形態を添付図面に基づいて説明する。
図１は、コンサート会場１２における販売者の店舗１５及び購入者１６のイメージ図である。実施形態に係る商品販売システムの利用は、例えば、コンサートで演奏された楽曲を収録したリリース前の新譜ＣＤや限定グッズといった商品（図示略）を、コンサート会場１２等に販売者が簡易設置した店舗１５で、観客（購入者１６）が予約購入を行う場合等が想定される。
【００１１】
図２は、購入者１６に対面販売される商品カード３１及び配送カード３２のイメージ図である。
店舗１５（図１）において商品は、実在していないか又は展示されているのみである。購入者１６は、所望する商品の商品カード３１を、所望する数だけ店舗１５から購入する。さらに購入者１６は、配送カード３２を、宅配便等による商品の配送先の数だけ店舗１５から購入する。
【００１２】
大量に発行される商品カード３１及び配送カード３２は、システム管理者により作成され、商品販売システムの利用を希望する販売者に提供される。そして、これら商品カード３１及び配送カード３２は、複数（例えば１００枚）が纏められてグループ化されており、このグループを単位としてシステム管理者から販売者に提供される。
システム管理者から販売者へ商品カード３１及び配送カード３２を提供する方法としては、一般的なネット通販を採用する場合のほかに、店頭での直接販売も採用できる。
【００１３】
商品カード３１及び配送カード３２の各々には、固有の商品ＩＤ４１及び配送ＩＤ４２が付されている。これら商品ＩＤ４１及び配送ＩＤ４２は、同一グループで共通する共通項Ｘと、同一グループでは少なくとも固有である固有項Ｙとから構成されている。
このように商品ＩＤ４１が構成されていることにより、後述する販売者端末３０に表示される商品登録フォーム２３ａ（図５（Ａ））において、グループ単位で複数の商品ＩＤ４１と一つの商品属性データ４３との紐付けを容易にすることができる。さらにグループ単位で複数の商品ＩＤ４１の有効／失効の設定を効率的にすることができる。
そして、このように配送ＩＤ４２が構成されていることにより、後述する販売者端末３０に表示される配送登録フォーム２３ｂ（図６（Ａ））において、グループ単位で複数の配送ＩＤ４２の有効／失効の設定を効率的にすることができる。
【００１４】
さらに、これら商品ＩＤ４１及び配送ＩＤ４２は、商品カード３１及び配送カード３２の購入者１６にのみ認識される必要性がある。このために、購入者１６へのなりすましを防止するために、商品カード３１に記載された商品ＩＤ４１と配送カード３２に記載された配送ＩＤ４２とは、硬いもので擦ると文字が浮き出すスクラッチ処理が施されていてもよい。
【００１５】
商品カード３１及び配送カード３２の各々に印刷されているコード４４は、後述する購入者端末５０で読み取らせて、管理サーバ２０にアクセスするための情報である。より具体的には、購入者端末５０がこのコード４４を読み取ることにより、申請フォーム２５（図７参照）を、購入者端末５０に表示させることができる。
【００１６】
図３は、本発明に係る商品販売システムの実施形態を示す全体イメージ図である。
実施形態に係る商品販売システム１０は、システム管理者がメンテナンスする管理サーバ２０と、商品の販売者が管理サーバ２０にアクセスしてデータ登録を行う販売者端末３０と、商品の購入者が管理サーバ２０にアクセスしてデータ申請を行う購入者端末５０（５０ａ，５０ｂ，５０ｃ）と、商品の配送者が管理サーバ２０にアクセスして配送情報を取得する配送者端末６０と、が通信ネットワーク１１に接続して構成される。
配送者６２は、取得した配送情報に基づいて倉庫から宛先６１ａ，６１ｂ，６１ｃに向けて商品を配送する。
【００１７】
図４は本発明に係る商品販売システムの実施形態を示すブロック図である。
ここで、販売者端末３０、購入者端末５０及び配送者端末６０は、インターネット等の通信ネットワーク１１のサイトを閲覧することができるブラウザを標準搭載している汎用コンピュータを使用することができる。このため販売者端末３０、購入者端末５０及び配送者端末６０の各々は、通信ネットワーク１１に接続することができる環境にあれば設置位置は限定されない。特に購入者端末５０（５０ａ，５０ｂ，５０ｃ）は、購入者が商品カード３１及び配送カード３２を店舗１５で購入してから直ちにデータ申請を行えるように、携帯端末やウェアラブル端末が推奨される。
【００１８】
図４（適宜、図２参照）に示すように、管理サーバ２０は、少なくとも、データベース２１と、送受信部２２（第１送受信部２２ａ、第２送受信部２２ｂ、第３送受信部２２ｃ）と、データリンク部２６と、照合部２７と、配送情報生成部２８と、を備えている。
【００１９】
データベース２１には、商品カード３１に記載されている固有の商品ＩＤ４１と配送カード３２に記載されている固有の配送ＩＤ４２とが登録されている。
第１送受信部２２ａは、通信ネットワーク１１を介して受信した第１要求信号３１の発信元である販売者端末３０に登録フォーム２３（図５（Ａ）参照）を送信し、この登録フォーム２３で互いに紐付入力された商品ＩＤ４１及び商品属性データ４３を受信するものである。
【００２０】
データリンク部２６は、販売者端末３０から受信した商品属性データ４３を、データベース２１上の対応する商品ＩＤ４１に紐付けるものである。
第２送受信部２２ｂは、通信ネットワーク１１を介して受信した第２要求信号５２の発信元である購入者端末５０に申請フォーム２５を送信し、この申請フォーム２５で互いに紐付け入力された配送ＩＤ４２、宛先データ４６及び一つ以上の商品ＩＤ４１を受信するものである。
【００２１】
照合部２７は、購入者端末５０から受信した商品ＩＤ４１及び配送ＩＤ４２の各々を少なくとも対象として、データベース２１に照合するものである。
配送情報生成部２８は、この照合結果が一致する場合、購入者端末５０から受信した配送ＩＤ４２及び一つ以上の商品ＩＤ４１の各々に紐付けられている宛先データ４６及び一つ以上の商品属性データ４３が組み合わされた配送情報４７（図１０参照）を生成するものである。
第３送受信部２２ｃは、配送情報４７を、販売者端末３０及び配送者端末６０の少なくとも一方に、通信ネットワーク１１を介して送信するものである。
【００２２】
この管理サーバ２０は、図示を省略するが、オペレーティングシステムやアプリケー
ション・プログラムなどを実行するＣＰＵと、ＲＯＭ及びＲＡＭで構成される主記憶部と、ハードディスクなどで構成される補助記憶部と、ネットワークカードなどで構成される通信制御部と、キーボードやマウスなどの入力部と、モニタなどの出力部とで構成されている。図４に示すこの管理サーバ２０の各機能は、ＣＰＵや主記憶部の上に所定のソフトウェアを読み込ませ、ＣＰＵの制御の下で通信制御部や入力部、出力部などを動作させ、主記憶部や補助記憶部におけるデータの読み出し及び書き込みを行うことで実現される。処理に必要なデータやデータベースは主記憶部や補助記憶部内に格納される。
【００２３】
販売者端末３０は、システムにログインする際の認証に必要な販売者ＩＤとパスワードを、管理サーバ２０に予め登録しておく必要がある。実施形態では、販売者ＩＤとしてメールアドレスを用いる認証方式を採用しているが、特に限定はない。
販売者は、商品カード３１及び配送カード３２をシステム管理者から取得した後に、販売者端末３０から通信ネットワーク１１を介して管理サーバ２０にアクセスする。そして、第１要求信号３１を送信し、管理サーバ２０から登録フォーム２３を受信し、画面に表示させる。
【００２４】
図５（Ａ）は販売者端末３０に表示される商品登録フォーム２３ａのイメージ図である。図５（Ｂ）はその確認フォーム２４ａのイメージ図である。
図５（Ａ）において、販売者は、商品ＩＤ４１の共通項Ｘ（図２参照）が「Ａａａ」で纏められた商品カード３１のグループを、「○×▲ニューリリースＣＤ」の商品属性データ４３に紐付けている。これにより、一つのグループに１００枚の商品カード３１が含まれていれば、一回の処理で、１００枚の商品カード３１に同じ商品属性データ４３を紐付けることができる。
【００２５】
このように商品登録フォーム２３ａでは、商品ＩＤ４１の共通項Ｘを指定して、固有項Ｙを任意文字（ワイルドカード）に設定することで、グループを単位として、商品属性データ４３を紐付けることができる。
また、商品ＩＤ４１の共通項Ｘと固有項Ｙをともに指定して入力すれば、商品カード３１を一枚単位で、商品属性データ４３を紐付けることができる。
【００２６】
商品登録フォーム２３ａには、商品ＩＤ４１と商品属性データ４３の紐付けについて、有効／失効を切り替えることができるスイッチボックス５１が設けられている。さらにこのスイッチボックス５１が「有効」に設定されている場合、自動的に「失効」に切り替わる期限５２の設定をすることもできる。
【００２７】
スイッチボックス５１及び期限５２の設定により、販売期間が終了後もしくは売上見通しが立ったところで、売れ残る商品カード３１を失効させることができる。また、売り上がった商品カード３１であっても、その後の申請手続がなされないものについては、一定期間を経て失効させることができる。
これにより、悪意のあるものが、商品カード３１を購入せずに、商品ＩＤ４１をランダム入力して不正に商品を取得するなとの不正行為を未然に防止することができる。
【００２８】
管理サーバ２０のデータベース２１上で未登録もしくは失効設定された商品ＩＤ４１が誤って商品登録フォーム２３ａに入力された場合は、エラーメッセージが表示される。
商品登録フォーム２３ａに、商品ＩＤ４１と商品属性データ４３を入力した後に、「確認」ボタンを押すと、確認フォーム２４ａが表示され、「編集」ボタンを押すと再び商品登録フォーム２３ａに戻って再編集が可能になる。
そして「送信」ボタンを押すと、互いに紐付けられた商品ＩＤ４１及び商品属性データ４３が、管理サーバ２０の第１送受信部２２ａで受信され、データリンク部２６を介して、データベース２１上の対応する商品ＩＤ４１に商品属性データ４３及び販売者ＩＤ４５が紐付けられる（図８参照）。
【００２９】
図６（Ａ）は販売者端末３０に表示される配送登録フォーム２３ｂのイメージ図である。図６（Ｂ）はその確認フォーム２４ｂのイメージ図である。
図６（Ａ）において、販売者は、配送ＩＤ４２の共通項Ｘ（図２参照）が「Ｒｓｓ」で纏められた配送カード３２のグループを、有効化して、失効期限を２０１８年４月３０日に設定している。
【００３０】
このように配送登録フォーム２３ｂでは、配送ＩＤ４２の共通項Ｘを指定して、固有項Ｙを任意文字（ワイルドカード）に設定することで、グループを単位として、有効／失効の設定をすることができる。
また、配送ＩＤ４２の共通項Ｘと固有項Ｙをともに指定して入力すれば、配送カード３２を一枚単位で、有効／失効の設定をすることができる。配送登録フォーム２３ｂでこのような設定が可能であることの効果は、商品登録フォーム２３ａにおいて既に説明した内容と同じであるので省略する。
【００３１】
管理サーバ２０のデータベース２１上で未登録もしくは失効設定された配送ＩＤ４２が誤って配送登録フォーム２３ｂに入力された場合は、エラーメッセージが表示される。
配送登録フォーム２３ｂに、配送ＩＤ４２を入力した後に、「確認」ボタンを押すと、確認フォーム２４ｂが表示され、「編集」ボタンを押すと再び配送登録フォーム２３ｂに戻って再編集が可能になる。
そして「送信」ボタンを押すと、配送ＩＤ４２が、管理サーバ２０の第１送受信部２２ａで受信され、データリンク部２６を介して、データベース２１上の対応する配送ＩＤ４２に販売者ＩＤ４５が紐付けられる（図９参照）。
【００３２】
図７（Ａ）は購入者端末５０に表示されるカードＩＤの申請フォーム２５ａのイメージ図である。図７（Ｂ）は宛先データの申請フォーム２５ｂのイメージ図である。図７（Ｃ）はその確認フォーム２４ｃのイメージ図である。
購入者は、販売者の店舗１５（図１）で商品カード３１及び配送カード３２を購入した後に、購入者端末５０から通信ネットワーク１１を介して管理サーバ２０にアクセスする。そして、第２要求信号３２を送信し、管理サーバ２０から申請フォーム２５を受信し、画面に表示させる。
【００３３】
図７（Ａ）において、購入者は、購入した配送カード３２に記載されている配送ＩＤ４２を申請フォーム２５ａに入力している。なお、複数の配送カード３２を購入している場合は、各々の配送カード３２に対し別々の申請フォーム２５（２５ａ，２５ｂ）の入力を行うことになる。
【００３４】
配送ＩＤ４２の入力に引き続いて、申請フォーム２５ａおいて、この配送ＩＤ４２に紐付ける一つ以上の商品ＩＤ４１の入力を行う。申請フォーム２５ａおいて、この商品ＩＤ４１の入力欄の数は、任意に増減させることができる。
ただし一回の配送で、送れる商品の数に限りがあるので、申請フォーム２５ａにおいて、一つの配送ＩＤ４２に紐付けできる商品ＩＤ４１の数の上限を設定することができる。
管理サーバ２０のデータベース２１上で未登録もしくは失効設定された商品ＩＤ４１や配送ＩＤが誤って商品登録フォーム２３ａに入力された場合は、エラーメッセージが表示される。
【００３５】
カードＩＤの申請フォーム２５ａに、配送ＩＤ４２と一つ以上の商品ＩＤ４１とを入力した後に、「ｎｅｘｔ」ボタンを押すと、図７（Ｂ）に示される宛先データの申請フォーム２５ｂが表示される。この申請フォーム２５ｂで入力される宛先データ４６は、申請フォーム２５ａで入力された配送ＩＤと紐付けされる。この申請フォーム２５ｂの「確認」ボタンを押すと、確認フォーム２４ｃが表示され、「編集」ボタンを押すと再び申請フォーム２５（２５ａ，２５ｂ）に戻って再編集が可能になる。
この確認フォーム２４ｃでは、自分で入力した宛先データ４６以外に、入力した商品ＩＤ４１に紐付けされている商品属性データ４３を確認することができる。
この購入者端末５０に表示される確認フォーム２４ｃは、後記する配送情報４７（図１０参照）の内容に一致している。
【００３６】
そして確認フォーム２４ｃの「送信」ボタンを押すと、互いに紐付けられた配送ＩＤ４２、宛先データ４６及び一つ以上の商品ＩＤ４１が、管理サーバ２０の第２送受信部２２ｂで受信される。そして、照合部２７は、購入者端末５０から受信した商品ＩＤ４１及び配送ＩＤ４２の各々を、データベース２１と照合する。なお照合部２７は、さらに販売者ＩＤ４５やその他の対象を照合して一致・不一致の判断をしてもよい。
【００３７】
そして、この照合結果が一致していれば、データベース２１上の配送ＩＤ４２に、宛先データ４６を紐付ける。さらに、対応する商品ＩＤ４１及び配送ＩＤ４２の有効設定を失効設定に切り替える。これにより、悪意のあるものが、商品カード３１及び配送カード３２を購入せずに、商品ＩＤ４１及び配送ＩＤ４２をランダム入力して不正に商品を取得するなとの不正行為を未然に防止することができる。
【００３８】
図８はデータベース２１（図４）に登録されている商品ＩＤ４１、これに紐付けされている販売者ＩＤ４５及び商品属性データ４３を示すデータリストである。
図９はデータベース２１（図４）に登録されている配送ＩＤ４２、これに紐付けされている販売者ＩＤ４５及び宛先データ４６を示すデータリストである。
【００３９】
照合部２７は、データベース２１の商品ＩＤ４１及び配送ＩＤ４２の他に、両者に紐付けられている販売者ＩＤが一致しているか否かについて判断することで、不正防止に対する強度を増すことができる。
通信ネットワーク１１を経由して、購入者端末５０の申請フォーム２５（２５ａ，２５ｂ）から送信された商品ＩＤ４１及び配送ＩＤ４２は、このデータベース２１上で失効設定がなされる。
また、販売者端末３０の登録フォーム２３（２３ａ，２３ｂ）から切り替えられる有効／失効の設定もデータベース２１において反映される。
【００４０】
図１０は販売者端末３０又は配送者端末６０に表示される配送情報４７のイメージ図である。配送情報生成部２８は、上述した照合結果が一致する場合、受信した配送ＩＤ４２に紐付けられている宛先データ４６と、一つ以上の商品ＩＤ４１の各々に紐付けられている一つ以上の商品属性データ４３とを組み合わせた配送情報４７を生成する。
【００４１】
このように、配送情報４７は、宛先データ４６とこれに紐付けられる一つ以上の商品属性データ４３とで構成されており、複数が重複している商品属性データ４３は配送数で表している。販売者端末３０及び配送者端末６０は、通信ネットワーク１１を介して管理サーバ２０の第３送受信部２２ｃにアクセスし、配送情報４７を、自身の表示部に表示させることができる。
【００４２】
そして、配送者は、この配送情報４７に従って、倉庫から商品属性データ４３で指定された商品を指定された数量だけ出荷して、宛先データ４６で指定された場所に配送する。
【００４３】
図１１は本発明に係る商品販売方法及び商品販売プログラムの実施形態を示すシーケンス図である。
システム管理者は、商品カード３１に記載されている固有の商品ＩＤ４１と配送カード３２に記載されている固有の配送ＩＤ４２とを、管理サーバ２０のデータベース２１に登録する（Ｓ１１）。
販売者の求めに応じて、システム管理者は、商品カード３１及び配送カード３２をこの販売者に取得させる（Ｓ１２）。この（Ｓ１１）は、一般的なネット通販を利用する場合のほかに、店頭での直接購入することもできる。これらカードは、複数枚が束となってグループ化されており、販売者は、このグループを単位として、システム管理者から商品カード３１及び配送カード３２を取得する。
【００４４】
通信ネットワーク１１を介し、販売者端末３０を発信元とし管理サーバ２０を受信先として、登録フォーム２３の要求信号が送信される（Ｓ１３）。次に管理サーバ２０を発信元とし販売者端末３０を受信先として、登録フォーム２３が送信される（Ｓ１４）。そして、販売者端末３０を発信元とし管理サーバ２０を受信先として、登録フォーム２３で互いに紐付入力された商品ＩＤ４１及び商品属性データ４３が送信される（Ｓ１５）。
【００４５】
管理サーバ２０では、販売者端末３０から受信した商品属性データ４３をデータベース２１上の対応する商品ＩＤ４１に紐付けて登録する（Ｓ１６）。
販売者は、購入者に対して、商品カード３１と配送カード３２を販売する（Ｓ１７）。
【００４６】
通信ネットワーク１１を介し、購入者端末５０を発信元とし管理サーバ２０を受信先として、申請フォーム２５の要求信号が送信される（Ｓ１７）。次に管理サーバ２０を発信元とし購入者端末５０を受信先として、申請フォーム２５が送信される（Ｓ１８）。そして、購入者端末５０を発信元とし管理サーバ２０を受信先として、申請フォーム２５で互いに紐付入力された配送ＩＤ４２、宛先データ４６及び一つ以上の商品ＩＤ４１が送信される（Ｓ１９）。
【００４７】
管理サーバ２０では、購入者端末５０から受信した商品ＩＤ４１及び配送ＩＤ４２の各々をデータベース２１に照合する（Ｓ２０）。この照合結果が一致する場合（Ｓ２１ Ｙｅｓ）、購入者端末５０から受信した配送ＩＤ４２及び一つ以上の商品ＩＤ４１の各々に紐付けられている宛先データ４６及び一つ以上の商品属性データ４３が組み合わされた配送情報４７が生成される（Ｓ２２）。
【００４８】
一方で照合結果が不一致する場合（Ｓ２１ Ｎｏ）、購入者端末５０の確認フォーム２４ｃ（図７（ｃ））にエラーメッセージを表示させる。
通信ネットワーク１１を介し、管理サーバ２０を発信元とし販売者端末３０又配送者端末６０を受信先として、配送情報４７が送信される（Ｓ２３）。
配送者は、この配送情報４７に記載された宛先データ４６及び一つ以上の商品属性データ４３に基づいて、商品を配送先に配送する（Ｓ２４）。
【００４９】
以上説明した商品販売システム、商品販売方法及び商品販売プログラムによれば、対面販売（配布）される商品カードと配送カードを利用して、複数の商品を一回分の配送コストで届けることができる、通信ネットワークを利用した商品販売技術を提供することができる。
【００５０】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更、組み合わせを行うことができる。これら実施形態やその変形は、発明の範囲や要旨に含まれると同様に、特許請求の範囲に記載された発明とその均等の範囲に含まれるものである。
【００５１】
また商品販売プログラムは、ＲＯＭ等に予め組み込んで提供したり、インストール可能な形式又は実行可能な形式のファイルでＣＤ−ＲＯＭ、ＣＤ−Ｒ、メモリカード、ＤＶＤ、フレキシブルディスク（ＦＤ）等のコンピュータで読み取り可能な記憶媒体に記憶されて提供したりするようにしてもよい。もしくは、インターネット等のネットワークに接続されたコンピュータ上に格納し、ネットワーク経由でダウンロードさせて提供するようにしてもよい。
また、管理サーバ２０は、構成要素の各機能を独立して発揮する別々のモジュールを、通信ネットワーク又は専用線で相互に接続し、組み合わせて構成することもできる。
【符号の説明】
【００５２】
１０…商品販売システム、１１…通信ネットワーク、１２…コンサート会場、１５…販売者の店舗、１６…購入者、２０…管理サーバ、２１…データベース、２２…送受信部、２２ａ…第１送受信部、２２ｂ…第２送受信部、２２ｃ…第３送受信部、２３…登録フォーム、２３ａ…商品登録フォーム、２３ｂ…配送登録フォーム、２４ａ…確認フォーム、２４ｂ…確認フォーム、２４ｃ…確認フォーム、２５…申請フォーム、２５ａ…申請フォーム、２５ｂ…申請フォーム、２６…データリンク部、２７…照合部、２８…配送情報生成部、３０…販売者端末、３１…第１要求信号、３１…商品カード、３２…配送カード、３２…第２要求信号、４１…商品ＩＤ、４２…配送ＩＤ、４３…商品属性データ、４４…コード、４５…販売者ＩＤ、４６…宛先データ、４７…配送情報、５０…購入者端末、５１…スイッチボックス、５２…第２要求信号、５２…期限、６０…配送者端末、６１（６１ａ，６１ｂ，６１ｃ）…宛先、６２…配送者。
【図１】
2019128808.tif 000003
【図２】
2019128808.tif 000004
【図３】
2019128808.tif 000005
【図４】
2019128808.tif 000006
【図５】
2019128808.tif 000007
【図６】
2019128808.tif 000008
【図７】
2019128808.tif 000009
【図８】
2019128808.tif 000010
【図９】
2019128808.tif 000011
【図１０】
2019128808.tif 000012
【図１１】
2019128808.tif 000013